【事件の表示】
　特願２０１５−１９７３６４号「遊技機」拒絶査定不服審判事件〔平成２９年４月１３日出願公開、特開２０１７−７０３３６号〕について、次のとおり審決する。
【結　論】
　本件審判の請求は、成り立たない。
【理　由】
第１　手続の経緯
　本件に係る出願（以下「本願」という。）は、平成２７年１０月５日の出願であって、平成２８年１０月２５日付け拒絶理由通知に対して、同年１２月２３日付けで意見書、及び、手続補正書が提出されたところ、平成２９年４月２８日付けで拒絶査定がなされ（発送日：同年５月９日）がなされたものである。
　これに対し、同年８月３日に拒絶査定不服審判の請求がなされ、その審判の請求と同時に手続補正書が提出されたものである。
　さらに、平成２９年１０月１１日付け前置報告に対して、平成２９年１１月８日に上申書が提出されたものである。
　
第２　平成２９年８月３日付け手続補正についての補正却下の決定
［補正却下の決定の結論］
　平成２９年８月３日付け手続補正（以下「本件補正」という。）を却下する。
　
［理由］
　１　補正の内容
　本件補正は、特許請求の範囲を補正するものであって、特許請求の範囲の請求項１について本件補正前に、
（平成２８年１２月２３日付け手続補正）
「【請求項１】
　遊技球が転動可能な遊技領域を有する遊技盤と、
　前記遊技領域内に位置し、特別入賞口と、前記特別入賞口に遊技球が入賞し易い開状態と前記開状態と比較して前記特別入賞口に遊技球が入賞し難い閉状態とに変化させる開閉部材と、前記特別入賞口を通過した遊技球が転動可能な特定領域と、前記特定領域に遊技球が入球し易い第１入球状態と前記第１入球状態と比較して前記特定領域に遊技球が入球し難い第２入球状態とに変化させる変化部材と、を有する特別入賞装置と、
　遊技球が前記特別入賞口を通過してから前記変化部材を経由して前記特定領域に至るまでの通路である特別通路の前側の少なくとも一部を、遊技者に視認困難にさせる視認困難部材と、
　前記特定領域と前記変化部材との少なくとも一方の周辺に配置される光源と、
　遊技制御手段と、
　演出制御手段と、
を備え、
　前記遊技制御手段は、
　　前記開閉部材を一時的に開状態とする制御に伴って、前記変化部材の入球状態を変化させる変化処理を実行し、
　前記演出制御手段は、
　　少なくとも前記遊技制御手段によって前記開閉部材を開状態とさせている間、前記光源を点灯させる制御である発光制御を行う発光処理を実行する、
　ことを特徴とする遊技機。」とあったものを、
　
（本件補正である平成２９年８月３日付け手続補正）
　「【請求項１】
　遊技球が転動可能な遊技領域を有する遊技盤と、
　前記遊技領域内に位置し、特別入賞口と、前記特別入賞口に遊技球が入賞し易い開状態と前記開状態と比較して前記特別入賞口に遊技球が入賞し難い閉状態とに変化させる開閉部材と、前記特別入賞口を通過した遊技球が転動可能な特定領域と、前記特定領域に遊技球が入球し易い第１入球状態と前記第１入球状態と比較して前記特定領域に遊技球が入球し難い第２入球状態とに変化させる変化部材と、を有する特別入賞装置と、
　
前記特定領域と前記変化部材との少なくとも一方の周辺に配置される光源と、
　遊技球が前記特別入賞口を通過してから前記変化部材を経由して前記特定領域に至るまでの通路である特別通路の前側
の一部
前記光源が点灯しているか否かにかかわらず、
　遊技制御手段と、
　演出制御手段と、
を備え、
　前記遊技制御手段は、
　　　前記開閉部材を一時的に開状態とする制御に伴って、前記変化部材の入球状態を変化させる変化処理を実行し、
　前記演出制御手段は、
　　　少なくとも前記遊技制御手段によって前記開閉部材を開状態とさせている
期間中、遊技者の見た目で消灯して見えないように、
　ことを特徴とする遊技機。」と補正することを含むものである（下線部は補正箇所を示す。）。
　
　２　補正の適否
　本件補正後の特許請求の範囲の請求項１に記載された発明は、補正前の請求項１に係る発明を特定するために必要な事項である「視認困難部材」に関して、「遊技球が前記特別入賞口を通過してから前記変化部材を経由して前記特定領域に至るまでの通路である特別通路の前側の少なくとも一部を、遊技者に視認困難にさせる」とあったものを、「遊技球が前記特別入賞口を通過してから前記変化部材を経由して前記特定領域に至るまでの通路である特別通路の前側
の一部
前記光源が点灯しているか否かにかかわらず、
　補正前の請求項１に係る発明を特定するために必要な事項である「発光処理」に関して、「少なくとも前記遊技制御手段によって前記開閉部材を開状態とさせている間、前記光源を点灯させる制御である発光制御を行う」とあったものを、「少なくとも前記遊技制御手段によって前記開閉部材を開状態とさせている
期間中、遊技者の見た目で消灯して見えないように、
　そして、補正後の請求項１に係る発明は、補正前の請求項１に係る発明と、産業上の利用分野及び解決しようとする課題が同一であるから、本件補正のうち特許請求の範囲の請求項１についてする補正は、特許法第１７条の２第５項第２号に規定する「特許請求の範囲の減縮」を目的とする補正に該当する。
　また、本件補正は、願書に最初に添付した明細書、特許請求の範囲又は図面等の記載からみて、新規事項を追加するものではない。
　
　３　独立特許要件
　そこで、本件補正後の請求項１に係る発明（以下「本願補正発明」という。）が特許出願の際に独立して特許を受けることができるものであるか、すなわち、特許法第１７条の２第６項において準用する同法第１２６条第７項の規定に適合するかについて、以下に検討する。
　
　（１）本件補正発明
　本件補正発明は、次のとおりのものであると認める（記号Ａ〜Ｈは、分説するため当審で付した。）。
「【請求項１】
Ａ　遊技球が転動可能な遊技領域を有する遊技盤と、
Ｂ　前記遊技領域内に位置し、特別入賞口と、前記特別入賞口に遊技球が入賞し易い開状態と前記開状態と比較して前記特別入賞口に遊技球が入賞し難い閉状態とに変化させる開閉部材と、前記特別入賞口を通過した遊技球が転動可能な特定領域と、前記　特定領域に遊技球が入球し易い第１入球状態と前記第１入球状態と比較して前記特定領域に遊技球が入球し難い第２入球状態とに変化させる変化部材と、を有する特別入賞装置と、
Ｃ　前記特定領域と前記変化部材との少なくとも一方の周辺に配置される光源と、
Ｄ　遊技球が前記特別入賞口を通過してから前記変化部材を経由して前記特定領域に至るまでの通路である特別通路の前側の一部を、前記光源が点灯しているか否かにかかわらず、遊技者に視認困難にさせる視認困難部材と、
Ｅ　遊技制御手段と、
Ｆ　演出制御手段と、
を備え、
Ｇ　前記遊技制御手段は、
　　　前記開閉部材を一時的に開状態とする制御に伴って、前記変化部材の入球状態を変化させる変化処理を実行し、
Ｈ　前記演出制御手段は、
　　　少なくとも前記遊技制御手段によって前記開閉部材を開状態とさせている期間中、遊技者の見た目で消灯して見えないように、前記光源を点灯させる制御である発光制御を行う発光処理を実行する、
　ことを特徴とする遊技機。」
　
　（２）刊行物に記載された発明
　原査定の拒絶理由において提示された、本願の出願前に頒布された刊行物である特開２００９−２２６１３４号公報（以下「刊行物１」という。）には、図面と共に次の事項が記載されている（下線部は当審で付した。以下同様。）。
　
　・記載事項
　　　ア　「【０００１】
　本発明は、ぱちんこ遊技機等の
弾球遊技機
・・・
【０００６】
　本発明はこうした課題に鑑みてなされたものであり、その目的は、特別遊技における出玉設計を工夫することで遊技者の期待感ひいては遊技継続意欲を保ちつつ、遊技者と遊技運営者の利益のバランスを確保可能な弾球遊技機を提供することにある。」
　
　　　イ　「【００２８】
　図１は、実施例に係るぱちんこ遊技機の前面側における基本的な構造を示す。以下、弾球遊技機として従来にいういわゆる第１種ぱちんこ遊技機を例に説明する。
　ぱちんこ遊技機１０は、主に遊技機枠と遊技盤で構成される。ぱちんこ遊技機１０の遊技機枠は、外枠１１、前枠１２、透明板１３、扉１４、上球皿１５、下球皿１６、および発射ハンドル１７を含む。外枠１１は、開口部分を有し、ぱちんこ遊技機１０を設置すべき位置に固定するための枠体である。前枠１２は、外枠１１の開口部分に整合する枠体であり、図示しないヒンジ機構により外枠１１へ開閉可能に取り付けられる。前枠１２は、遊技球を発射する機構や、遊技盤を着脱可能に収容させるための機構、遊技球を誘導または回収するための機構等を含む。
・・・
【００３０】
　
遊技盤５０は
遊技領域５２上に
大入賞口６６
設置される。
【００３１】
　大入賞口６６は、特別図柄１９２が所定の態様にて停止したときに「大当たり」として開放状態となる横長方形状の入賞口である。
大入賞口６６は、遊技領域５２の略中央に設けられた演出表示装置６０の右方に並設されている。
表示窓１４２の背部には、
遊技球の通路を照らすための照明ランプ１４６が設けられている。表示窓１４２には、比較的透明度が低い黒色の合成樹脂フィルムが貼着されている。
　
　　　ウ　「【００３６】
　遊技者が発射ハンドル１７を手で回動させると、その回動角度に応じた強度で上球皿１５に貯留された遊技球が１球ずつ内レール５６と外レール５４に案内されて遊技領域５２へ発射される。遊技者が発射ハンドル１７の回動位置を手で固定させると一定の時間間隔で遊技球の発射が繰り返される。
遊技領域５２の上部へ発射された遊技球は、
落下する。
【００３７】
　遊技球が始動口６２に落入すると、特別図柄表示装置６１および演出表示装置６０において特別図柄１９２および装飾図柄１９０が変動表示される。特別図柄１９２および装飾図柄１９０の変動表示は、表示に先だって決定された表示時間の経過後に停止される。停止時の特別図柄１９２および装飾図柄１９０が大当たりを示す図柄である場合、通常遊技よりも遊技者に有利な遊技状態である特別遊技に移行し、大入賞口６６の開閉動作が開始される。このときスロットマシンのゲームを模した装飾図柄１９０は、３つの図柄を一致させるような表示態様をとる。特別遊技において、大入賞口６６は、約３０秒間開放された後、または９球以上の遊技球が落入した後で一旦閉鎖される。このような大入賞口６６の開閉が所定回数、例えば１５回繰り返される。
・・・
【００３９】
　図２は、ぱちんこ遊技機の背面側における基本的な構造を示す。
　電源スイッチ４０は、ぱちんこ遊技機１０の電源をオンオフするスイッチである。
メイン基板１０２
サブ基板１０４
・・・
【００４１】
　本実施例における
メイン基板１０２は、
可動物制御手段１２６を備える。
サブ基板１０４は、
演出表示制御手段１３４を備える。
　
　　　エ　「【００６２】
　同図（ａ）に示すように、特別遊技の実行前においては大入賞口６６が閉じられており、可動役物１４０も遊技領域５２の表面より奥に待機した状態となっている。照明ランプ１４６が消灯しているため、表示窓１４２よりも奥に配設されたクルーン１４４は遊技者から確認し難い状態、言い換えれば目立たない状態となっている。遊技領域５２の右方に打ち出された遊技球１５０は、図示のように可動役物１４０、大入賞口６６、表示窓１４２の前面を通過して落下していくことになる。」
　
　　　オ　「【００７３】
　図１０は、図９におけるＳ７５の賞球制御開始処理を詳細に示すフローチャートである。  
演出表示制御手段１３４は、照明ランプ１４６を点灯し
【００７４】
　一方、特定領域ではなく非特定領域に入球した場合（Ｓ１１２のＮ、Ｓ１１６のＹ）、可動物制御手段１２６は、可動役物１４０を作動させて大入賞口６６への入球を阻止する（Ｓ１１８）。また、
演出表示制御手段１３４は、照明ランプ１４６を消灯し
　
　　　カ　「【００７８】
　以上、本発明を実施例をもとに説明した。この実施例はあくまで例示であり、それらの各構成要素や各処理プロセスの組合せにいろいろな変形例が可能なこと、またそうした変形例も本発明の範囲にあることは当業者に理解されるところである。
【００７９】
　上記実施例では、大入賞口６６に入球した遊技球を内部のクルーン１４４により特定領域または非特定領域に機械的に振り分け、非特定領域に入球した場合には大入賞口６６の外部に設けた可動役物１４０を作動させて、大入賞口６６への入球を阻止するようにした。変形例においては、大入賞口６６の内部に第２の可動物を設け、入球した遊技球が特定領域または非特定領域のいずれに最初に入球するかにより、その後の振り分けを制御するようにしてもよい。
【００８０】
　図１３は、変形例にかかる可動物の構成および各単位遊技中に実行されうるその可動物の制御例を表す図である。（ａ）は特別遊技実行前の様子を表し、（ｂ）および（ｃ）は特別遊技開始後に大入賞口６６に入球した遊技球が振り分けられる様子を表している。また、（ｄ）は単位遊技において特定領域に入球したときに展開される様子を表し、（ｅ）は単位遊技において非特定領域に入球したときに展開される様子を表している。同図（ｃ）〜（ｅ）は、（ａ）のＡ−Ａ矢視断面図である。なお、同図において
上記実施例と実質的に同じ構成部分については同一の符号を付し、その説明を省略または簡略化することにする。
【００８１】
　同図に示すように、
大入賞口６６の内部には、
振り分け通路２５０が設けられている。
振り分け通路２５０の左端部および右端部には入球孔２５１、２５２が設けられており、入球孔２５１が特定領域につながり、入球孔２５２が非特定領域につながっている。
【００８２】
　
振り分け通路２５０の背部において入球孔２５１、２５２に対応する位置には、可動役物２４１、２４２が前方に進退可能に埋設されている。
入球を阻止するための可動物
【００８３】
　同図（ａ）に示すように、特別遊技の実行前においては大入賞口６６が閉じられており、可動役物２４１、２４２も振り分け通路２５０の背部に待機した状態となっている。
照明ランプ１４６が消灯しているため、表示窓１４２よりも奥に配設された振り分け通路２５０は目立たない状態となっている。
【００８４】
　そして、
特別遊技へ移行すると、
大入賞口６６が開放されるとともに、照明ランプ１４６が点灯されて振り分け通路２５０が視認できるようになる。
【００８５】
　一方、大入賞口６６に入球した遊技球が最初に特定領域に入球すると、可動物制御手段１２６よって同図（ｄ）に示すように可動役物２４２が作動され、入球孔２５２が閉じられる。このとき、遊技球が入球孔２５２側に転動したとしても入球することはなく、可動役物２４２の傾斜面に乗り上げた後に跳ね返されるか、そのまま逆向きに転動するようになる。その結果、遊技球は振り分け通路２５０の中央に設けられた隆起部を乗り越えて左端に到達し、入球孔２５１に入球する。すなわち、最初に特定領域に入球すると、その単位遊技においては常に特定領域に入球するようになる。同様に、
大入賞口６６に入球した遊技球が最初に非特定領域に入球すると、
可動役物２４１が作動されて入球孔２５１が閉じられる。
　
　・認定事項
　　　キ　変形例に関して、【図１３】（ａ）、（ｂ）に大入賞口６６の扉が開閉する状態が図示されている。
　そして、「大入賞口６６」の配置について、別実施例についてではあるが、【００３０】に「大入賞口６６は、遊技領域５２の略中央に設けられた演出表示装置６０の右方に並設されている。」と記載されている。
　したがって、刊行物１には、
遊技領域５２の略中央に設けられた演出表示装置６０の右方に並設されている大入賞口６６を備え、大入賞口６６は、開閉する扉を有する
　
　また、変形例に関して、【図１３】（ａ）、（ｂ）に表示窓１４２が大入賞口６６の扉の下方に位置することが図示され、【００８１】に「大入賞口６６の内部には、・・・振り分け通路２５０が設けられている。」と記載され、【００８３】に「・・・表示窓１４２よりも奥に配設された振り分け通路２５０・・・」と記載されている。
　したがって、刊行物１には、
大入賞口６６の内部に、大入賞口６６の扉の下方に位置する表示窓１４２よりも奥に振り分け通路２５０が配設されている
　
　　　ク　【００７８】〜【００８７】、及び、【図１３】に示された変形例に係る可動物は、表示窓１４２と照明ランプ１４６を備えるものである。
　また、【００２８】〜【００７７】、及び、【図４】に示された実施例１に係る可動物も、表示窓１４２と照明ランプ１４６を備えるものである。
　そして、【００８０】に「上記実施例と実質的に同じ構成部分については同一の符号を付し、その説明を省略または簡略化することにする。」と記載されていることからみて、実施例１の表示窓１４２と照明ランプ１４６に関する【００３１】の「表示窓１４２の背部には、・・・遊技球の通路を照らすための照明ランプ１４６が設けられている。」との記載は、変形例の表示窓１４２と照明ランプ１４６にもそのまま当てはまるものといえる。
　したがって、刊行物１の変形例１の表示窓１４２の背部には、遊技球の通路を照らすための照明ランプ１４６が設けられているといえる。
　また、刊行物１の【００８３】に「表示窓１４２よりも奥に配設された振り分け通路２５０」と記載され、【００８２】に「振り分け通路２５０の背部において入球孔２５１、２５２に対応する位置には、可動役物２４１、２４２が前方に進退可能に埋設されている。」と記載されている。
　これらのことに基づくと、【図１３】の（ａ）に、弾球遊技機が、
表示窓１４２の背面奥に設けられた可動役物２４１、２４２を側面から照らすように配置された照明ランプ１４６
　
　　　ケ　【００８３】に「
照明ランプ１４６が消灯している
照明ランプ１４６が点灯され
演出表示制御手段１３４は、照明ランプ１４６を点灯し
演出表示制御手段１３４は、照明ランプ１４６を消灯し
　そして、【００４１】に「
サブ基板１０４は、演出表示制御手段１３４を備える。
　また、【００８４】に「特別遊技へ移行すると、・・・大入賞口６６が開放されるとともに、照明ランプ１４６が点灯されて振り分け通路２５０が視認できるようになる。」と記載されている。
　したがって、刊行物１には、
特別遊技へ移行すると、大入賞口６６が開放されるとともに、サブ基板１０４の演出表示制御手段１３４は、照明ランプ１４６を点灯させて振り分け通路２５０を視認できるようにする
　
　上記ア〜カの記載事項、上記キ〜ケの認定事項、及び、図面の図示内容を総合勘案すると、刊行物１には、次の発明（以下「刊行物発明」という。）が記載されていると認められる。
「ａ　上部へ発射された遊技球が落下する遊技領域５２を有する遊技盤５０（【００３０】、【００３６】）と、
ｂ　遊技領域５２の略中央に設けられた演出表示装置６０の右方に並設されている大入賞口６６とを備え、
　大入賞口６６は、開閉する扉を有し（認定キ−１）、
　大入賞口６６の内部に、大入賞口６６の扉の下方に位置する表示窓１４２よりも奥に振り分け通路２５０が配設され（認定キ−２）、
　振り分け通路２５０の左端部に設けられた入球孔２５１は、特定領域がつながり、振り分け通路２５０の右端部に設けられた入球孔２５２は、非特定領域がつながり（【００８１】）、
　振り分け通路２５０の背部において入球孔２５１、２５２に対応する位置には、入球を阻止するための可動役物２４１、２４２が前方に進退可能に埋設され（【００８２】）、
ｃ　表示窓１４２の背面奥に設けられた可動役物２４１、２４２を側面から照らすように配置された照明ランプ１４６（認定事項ク）を備え、
ｄ　表示窓１４２に貼着された、照明ランプ１４６が消灯しているときに、表示窓１４２よりも奥に配設された振り分け通路２５０を目立たない状態とする比較的透明度が低い黒色の合成樹脂フィルム（【００３１】、【００８３】）と、
ｅ　メイン基板１０２（【００３９】）と、
ｆ　サブ基板１０４（【００３９】）とを備え、
ｇ　メイン基板１０２の備える可動物制御手段１２６は、特別遊技へ移行すると大入賞口６６を開放し、大入賞口６６に入球した遊技球が最初に非特定領域に入球すると、可動役物２４１を作動させて、入球孔２５１を閉じ（【００４１】、【００８４】、【００８５】）、
ｈ　特別遊技へ移行すると、大入賞口６６が開放されるとともに、サブ基板１０４の演出表示制御手段１３４は、照明ランプ１４６を点灯させて振り分け通路２５０を視認できるようにした（認定事項ケ）
　弾球遊技機（【０００１】）。」
　
　（３）対比
　本件補正発明と刊行物発明とを対比する（対比にあたっては、本件補正発明の構成Ａ〜Ｈと刊行物発明の構成ａ〜ｈについて、それぞれ（ａ）〜（ｈ）の見出しを付して行った。）。
　　（ａ）刊行物発明における「上部へ発射された遊技球が落下する遊技領域５２」、「遊技盤５０」は、それぞれ、本件補正発明における「遊技球が転動可能な遊技領域」、「遊技盤」に相当する。
　したがって、刊行物発明における構成ａは、本件補正発明における構成Ａに相当する。
　
　　（ｂ）刊行物発明における「遊技領域５２の略中央に設けられた演出表示装置６０の右方に並設されている大入賞口６６」は、本件補正発明における「遊技領域内に位置」する「特別入賞口」に相当する。
　刊行物発明における「大入賞口６６」の「開閉する扉」は、扉の「開」状態が遊技球が入球しやすい状態であり、扉の「閉」状態が遊技球が入球し難い状態であることは、当業者にとって自明であるから、本件補正発明における「特別入賞口に遊技球が入賞し易い開状態と開状態と比較して特別入賞口に遊技球が入賞し難い閉状態とに変化させる開閉部材」に相当する。
　刊行物発明における「特定領域」は、大入賞口６６を通過した遊技球が通過する領域であるから、本件補正発明における「特別入賞口を通過した遊技球が転動可能な特定領域」に相当する。
　刊行物発明における「可動役物２４１」は、入球孔２５１に対応する位置において、振り分け通路２５０の背部から前方に進むように変位することにより、特定領域への遊技球の入球を阻止するものであり、逆に、入球孔２５１から退くように変位することにより、特定領域への遊技球の入球を許容するものであるから、本件補正発明における「特定領域に遊技球が入球し易い第１入球状態と第１入球状態と比較して特定領域に遊技球が入球し難い第２入球状態とに変化させる変化部」に相当する。
　そして、刊行物発明における「大入賞口６６」は、「特定領域」、「可動役物２４１」を内部に有するものであるから、本件補正発明における「特別入賞装置」にも相当する。
　したがって、刊行物発明における構成ｂは、本件補正発明における構成Ｂに相当する。
　
　　（ｃ）刊行物発明における「照明ランプ１４６」は、表示窓１４２の背面奥で、かつ、振り分け通路２５０の背部に埋設された、「可動役物２４１、２４２」の「側面から照らすように配置され」るものであり、構成ｂより、「可動役物２４１、２４２」の埋設位置が「入球孔２５１、２５２に対応する位置」であることから、結局、「照明ランプ１４６」は、「特定領域」と「可動役物２４１、２４２」とを「側面から照らす」ものであるといえる。
　したがって、刊行物発明における「照明ランプ１４６」は、本件補正発明における「特定領域と変化部材との少なくとも一方の周辺に配置される光源」に相当する。
　
　　（ｄ）構成ｂより、刊行物発明における「入球孔２５１」は、「特定領域」につながるものである。
　そうすると、刊行物発明において、「大入賞口６６」、「振り分け通路２５０」、「入球孔２５１」を経て順に「特定領域」に至る通路は、本件補正発明における「特別入賞口を通過してから変化部材を経由して特定領域に至るまでの通路」に相当する。
　したがって、刊行物発明における構成ｄの「振り分け通路２５０」は、「大入賞口６６」、「振り分け通路２５０」、「入球孔２５１」を経て順に「特定領域」に至る通路の一部を構成するものであるから、本件補正発明における「特別入賞口を通過してから変化部材を経由して特定領域に至るまでの通路である特別通路」の「一部」に相当する。
　
　ここで、本件補正発明における「視認困難部材」について検討する。本願明細書の【０３６０】には、「視認困難部材」について「実施の形態では、遊技盤２の前面に設けられた一般装飾１６やガイド１６２によって、遊技球が第１大入賞口３０を通過した後の遊技球のルートの一部が視認困難になっているが、視認困難にさせる部材としてはこれらに限るものではない。例えば、遊技くぎ、ねじ、補強部材、も視認困難部材に該当する。また、視認困難部材は、Ｖランプ６８が点灯していない間、遊技球のルートを覆い隠し、点灯するとそのルートを視認可能にするハーフミラーであってもよい。」と記載されている。この記載によれば、本件補正発明における「視認困難部材」には、「点灯するとそのルートを視認可能にするハーフミラー」を含むものである。
　そうすると、刊行物発明における「目立たない状態とする比較的透明度が低い黒色の合成樹脂フィルム」が「貼着された」「表示窓１４２」は、ハーフミラー構成ｈより「照明ランプ１４６を点灯させて振り分け通路２５０を視認できるよう」にする部材であって、いわゆるハーフミラーの機能を有することから、本件補正発明における「視認困難部材」に相当する。
　また、刊行物発明において、「振り分け通路２５０」が「表示窓１４２よりも奥に配設され」ていることより、「表示窓１４２」は、「振り分け通路２５０」の前側に位置するものである。
　さらに、刊行物発明における「照明ランプ１４６が消灯しているとき」と、本件補正発明における「光源が点灯しているか否かにかかわらず」とは、「光源が消灯しているとき」である点で共通する。
　ゆえに、刊行物発明における構成ｄと本件補正発明における構成Ｄとは、「遊技球が前記特別入賞口を通過してから前記変化部材を経由して前記特定領域に至るまでの通路である特別通路の前側の一部を、前記光源が消灯しているときに、遊技者に視認困難にさせる視認困難部材」である点で共通する。
　
　　（ｅ）刊行物発明における構成ｅの「メイン基板１０２」は、本件補正発明における構成Ｅの「遊技制御手段」に相当する。
　
　　（ｆ）刊行物発明における構成ｆの「サブ基板１０４」は、本件補正発明における「演出制御手段」に相当する。
　
　　（ｇ）刊行物発明における「大入賞口６６に入球した遊技球が最初に特定領域に入球する」ことは、「特別遊技へ移行」し、大入賞口６６が開放されることに伴って発生する事象であるから、本件補正発明における「開閉部材を一時的に開状態とする制御に伴」うことに相当する。
　そして、刊行物発明における「可動役物２４２を作動させて、入球孔２５２を閉じ」ることは、本件補正発明における「変化部材の入球状態を変化させる変化処理を実行」することに相当する。
　したがって、刊行物発明における構成ｇは、本件補正発明における構成Ｇに相当する。
　
　　（ｈ）まず、本件補正発明における「遊技者の見た目で消灯して見えないように、光源を点灯させる」ことは、光源が点灯した状態では、遊技者の見た目で光源が消灯していないように見えることを表現したものであって、要するに、光源が点灯した状態であることを意味するものである。
　そして、刊行物発明における「特別遊技へ移行すると、大入賞口６６が開放される」ことと、本件補正発明における「少なくとも遊技制御手段によって開閉部材を開状態とさせている期間中」とは、「遊技制御手段によって開閉部材を開状態とさせているとき」である点で共通する。
　そして、刊行物発明における「照明ランプ１４６が点灯され」ることは、本件補正発明における「遊技者の見た目で消灯して見えないように、光源を点灯させる制御である発光制御を行う発光処理を実行する」ことに相当する。
　したがって、刊行物発明における構成ｈと本件補正発明における構成Ｈとは、「演出制御手段は、前記遊技制御手段によって前記開閉部材を開状態とさせているときに、遊技者の見た目で消灯して見えないように、光源を点灯させる制御である発光制御を行う発光処理を実行する」ことで共通する。
　
　　したがって、両者の一致点および相違点は、次のとおりである。
［一致点］
「Ａ　遊技球が転動可能な遊技領域を有する遊技盤と、
Ｂ　前記遊技領域内に位置し、特別入賞口と、前記特別入賞口に遊技球が入賞し易い開状態と前記開状態と比較して前記特別入賞口に遊技球が入賞し難い閉状態とに変化させる開閉部材と、前記特別入賞口を通過した遊技球が転動可能な特定領域と、前記特定領域に遊技球が入球し易い第１入球状態と前記第１入球状態と比較して前記特定領域に遊技球が入球し難い第２入球状態とに変化させる変化部材と、を有する特別入賞装置と、
Ｃ　前記特定領域と前記変化部材との少なくとも一方の周辺に配置される光源と、
Ｄ’遊技球が前記特別入賞口を通過してから前記変化部材を経由して前記特定領域に至るまでの通路である特別通路の前側の一部を、前記光源が消灯しているときに、遊技者に視認困難にさせる視認困難部材と、
Ｅ　遊技制御手段と、
Ｆ　演出制御手段と、
を備え、
Ｇ　前記遊技制御手段は、
　　　前記開閉部材を一時的に開状態とする制御に伴って、前記変化部材の入球状態を変化させる変化処理を実行し、
Ｈ’前記演出制御手段は、
　　　前記遊技制御手段によって前記開閉部材を開状態とさせているときに、遊技者の見た目で消灯して見えないように、前記光源を点灯させる制御である発光制御を行う発光処理を実行する、
　遊技機。」
　
［相違点１］（構成Ｄについて）
　特別通路の前側の一部を遊技者に視認困難にさせる視認困難部材に関して、
　本件補正発明は、光源が点灯しているか否かにかかわらず、視認困難にさせるのに対して、
　刊行物発明は、照明ランプ１４６（「光源」）が消灯しているときに視認困難にさせるが、光源が点灯しているときに視認困難にするか否か明らかでない点で一応相違する。
　
［相違点２］（構成Ｈについて）
　演出制御手段によって、遊技者の見た目で消灯して見えないように、光源を点灯させる制御である発光制御を行う発光処理が実行されるのが、
　本件補正発明は、少なくとも遊技制御手段によって開閉部材を開状態とさせている期間中であるのに対して、
　刊行物発明は、遊技制御手段によって開閉部材を開状態とさせているときであって、本件補正発明の構成を備えるか否か不明である点。
　
　（４）当審の判断
　　　ア　相違点１について
　上記相違点１について検討する。
　　　（ア）相違点１が実質的な相違点であるかについて
　刊行物発明において、表示窓１４２は、振り分け通路２５０を視認可能にする機能を担っているものである。
　そうすると、表示窓１４２の近傍に位置する大入賞口６６の「開閉する扉」に、大入賞口６６の内部にある遊技球の通路を遊技者に視認させる機能を担う必要のないことから、「開閉する扉」は不透明な部材から構成されているとみることができる。
　そして、大入賞口６６の「開閉する扉」が開放された場合、開放された扉により、照明ランプ１４６を点灯させても、遊技者が、大入賞口６６の内部にある遊技球の通路を視認することを遮ることとなる。
　この場合、大入賞口６６の「開閉する扉」によって、照明ランプ１４６が点灯しているか否かにかかわらず、大入賞口６６の内部にある遊技球の通路は視認不能となることから、刊行物発明における「開閉する扉」は、本件補正発明における構成Ｄの「特別通路の前側の一部を、前記光源が点灯しているか否かにかかわらず、遊技者に視認困難にさせる視認困難部材」に相当する。
　したがって、刊行物発明における構成ｄは、本件補正発明における構成Ｄに相当する。
　ゆえに、相違点１は実質的な相違点ではない。
　
　　　（イ）相違点１について、実質的な相違点でないことは、上記（ア）において検討したとおりである。
　ここでは、仮にそうでないとして、つまり、相違点１が相違点であるとして検討を進めることにする。
　まず、刊行物発明における大入賞口６６の「開閉する扉」は、上記（ア）において検討したように、遊技者が大入賞口６６の内部にある遊技球の通路は視認させる機能を担うものではないので、その材料を不透明なものとすることは、当業者が適宜なし得たものである。
　
　次に、相違点１に係る「視認困難部材」に関して、本件補正発明における「視認困難部材」には、上記（３）対比（ｄ）によると、「遊技くぎ」が含まれるものである。
　そして、遊技機の技術分野において、右側遊技領域に配置された大入賞装置の下方の遊技領域に遊技釘を設けることは、本願出願前に周知の技術事項であり（例えば、特開２０１５−９１４１０号公報の【図１】、【図２】に、の右側遊技領域に配置された第１大入賞口１５の下方に釘が設けられていることや、
　特開２０１１−１９４１０２号公報の【図１】、【図２】に、右側遊技領域に配置された大入賞口６の下方に釘が設けられていることや、
　特開２０１１−３０８３４号公報の【図１】に、右側遊技領域に配置された大入賞口装置１４の下方に釘が設けられていることや、
　特開２０１０−５１４０１号公報の【図１６】に、右側遊技領域に配置された第２大入賞口８７の下方に釘が設けられていることを参照。以下「周知の技術事項１」という。）。
　一方、刊行物発明においても、大入賞口６６は、「遊技領域５２の略中央に設けられた演出表示装置６０の右方に並設されている」のであって、大入賞口６６の下方が、遊技球が転動することが可能な領域であることは明らかである。
　したがって、刊行物発明の「大入賞口６６の扉の下方に位置する表示窓１４２」に上記周知の技術事項１を適用して、「表示窓１４２」に遊技釘を設けることは、当業者が必要に応じてなし得たものである。
　
　さらに、遊技機の技術分野において、透明な樹脂からなる遊技盤に障害釘を設けることは、本願出願前に周知の技術事項である（例えば、特開２０１３−３１６８６号公報の【００２０】、【００２１】、【図５】、【図９】には、遊技盤本体をなす、透過性部材からなる板状部材６００に障害釘６２０を設けたことが記載され、特開２００４−２０１９６４号公報の【００１２】、【００２１】、【図２】には、アクリル樹脂製の透明基板からなる遊技盤１４に障害釘を植設したことが記載されている。以下「周知の技術事項２」という。）。
　一方、刊行物発明における「表示窓１４２」も透明な部材から構成されていることは明らかである。
　したがって、刊行物発明における透明な部材からなる「表示窓１４２」に上記周知の技術事項２を適用して、「表示窓１４２」に遊技釘を設けることは、当業者が必要に応じてなし得たものである。
　
　よって、刊行物発明に基づいて、あるいは、刊行物発明に上記周知の技術事項１、若しくは２を適用して上記相違点１に係る本件補正発明の構成とすることは当業者が容易になし得たものである。
　
　　　イ　相違点２について
　上記相違点２について検討する。
　遊技機の技術分野において、入賞装置内に光源を設け、入賞装置の前側に、光源の消灯時に入賞装置内の遊技球の動きを遊技者に視認困難にする部材を設け、少なくとも、開閉部材を開状態とさせている期間中は、光源を点灯させ、入賞装置内の遊技球の動きを遊技者に視認可能とすることは、本願出願前に周知の技術事項である（例えば、特開２００３−１５９４０６号公報の【０００１】、【０００７】、【０００９】、【００１３】〜【００１５】、【図５】、【図６】には、可変入賞装置１の振分体２２の収納室２５の前面に透視可能閉鎖領域３１を形成し、透視可能閉鎖領域３１にマジックミラーと呼ばれるような半透視可能閉鎖領域３２を形成し、半透視可能閉鎖領域３２に対応する光源３３を設けたパチンコ機において、少なくとも、開閉体１３の開放期間中は光源を点灯制御して、光源３３が点灯した光が半透視可能閉鎖領域３２を裏側から照明している場合は半透視可能閉鎖領域３２が透視可能となって、可変入賞装置１の前側から連絡口２６に対する特定入賞口２０及び普通入賞口２１の位置関係を遊技者に見えるように形成したことが記載され、
　特開２００４−２９０２３１号公報の【０００１】、【００２８】、【００４１】、【００５１】、【００５５】、【００５７】、【図１０】には、役物装置１２の室内前方側にハーフミラー２７を備えた遊技機において、始動口３８（左始動口）または始動口３０（右始動口）に入賞したパチンコ球を検出した始動口センサ３６が時刻ｔ１０にパルス状の検出信号を出力し、この検出信号を受けて、照明ランプ４９を時刻ｔ２０まで点灯し、役物装置１２の室内を明るくしたうえで、大入賞口１８，５０を時刻ｔ１２から時刻ｔ１４まで開放し、役物装置１２内におけるパチンコ球の動きを遊技者に見え易い状態としたことが記載され、
　特開２００４−１４１５５１号公報の【０００１】、【００１３】、【００１５】、【００１９】、【００２７】、【図２】、【図３】には、開閉部材９が設けられた普通電動役物５の内部に設けられている回転盤７を外部から見ることができるようにハーフミラー２０を設けたパチンコ機において、遊技球が入賞口１１に入賞したタイミングから、普通電動役物５内に流入した遊技球がいずれかの入賞口２２ａ〜２２ｃに入賞するまでの所定時間、ランプ１５を点灯させ、内部に設けられている回転盤７を、ハーフミラー２０を透して外部から遊技者が見えるようにしたことが記載されている。以下「周知の技術事項３」という。）。
　そして、刊行物発明と上記周知の技術事項３とは、入賞装置内に光源を設けるとともに、入賞装置の前側に、光源の消灯時に入賞装置内の遊技球の動きを遊技者に視認困難にする部材を設け、少なくとも、開閉部材を開状態とさせている期間中は、光源を点灯させた遊技機という共通の構成を有するとともに、入賞口が開放されているときに、入賞装置内の遊技球の動きを遊技者に視認可能にするという共通の作用効果を奏するものである。
　したがって、刊行物発明の大入賞口６６に上記周知の技術事項３を適用して、少なくとも大入賞口６６が開放されている期間中、照明ランプ１４６を点灯させた状態に維持し、大入賞口内の遊技球の動きを遊技者に視認可能とし、上記相違点２に係る本件補正発明の構成とすることは、当業者が容易になし得たものである。
　
　　　ウ　請求人の主張について
　請求人は、平成２９年１１月８日付け上申書において、「引用文献１に記載される黒色のフィルムは、通常時は内部構造物を隠し、所定の条件を満たすことで光源を点灯させて内部構造物を登場させる、といった演出に用いられる部材であって、光源が点灯しているか否かにかかわらず内部構造体を視認困難にし続けるものではありません。・・・本願のような、特定領域３９と振分部材７１との少なくとも一方の周辺に配置される光源と、通路の一部のみを覆い、さらに光源を点灯したとしても視認困難性は維持する視認困難部材と、の組み合わせであれば、遊技性の低下の抑制等のために通路の一部を視認困難にした場合であっても、遊技者が特定領域３９の通過を確認したい場合を想定して、その確認が容易になるといった効果が生じます。つまり、引用文献１に記載される黒色のフィルムは、補正後の請求項１に記載される視認困難部材に該当しないものであり、引用文献１には、補正後の請求項１に記載される視認困難部材が開示されていません。」（第３頁第１５〜４３行）と主張する。
　
　そこで、上記請求人の主張について検討する。
　まず、本件補正発明における「視認困難部材」には、上記（３）対比（ｄ）によると、「一般装飾１６」、「ガイド１６２」、「遊技くぎ」、「ねじ」、「補強部材」、「ハーフミラー」といった種々のものが含まれるものである。
　そして、上記ア（ア）において検討したように、刊行物発明における「大入賞口６６」の「開閉する扉」は、本件補正発明における「視認困難部材」に相当するものである。
　仮にそうでないとしても、上記ア（イ）において検討したように、刊行物発明における「大入賞口６６の扉の下方に位置する表示窓１４２」に遊技釘を設けることは、上記周知技術１、若しくは２に基づいて当業者が容易になし得たものである。
　したがって、請求人の上記主張は、採用できない。
　
　ところで、請求人は、平成２９年１１月８日付け上申書において本件補正発明の構成Ｈについて、「少なくとも前記遊技制御手段によって前記開閉部材を開状態とさせている期間中、
発光制御として、前記光源を第１の期間で点灯させた後、前記第１の期間よりも短く、遊技者が前記光源が消灯していないように見えて且つ点滅に見える長さとなる第２の期間で前記光源を消灯させる動作を繰り返す
　遊技機の技術分野において、各種ランプを点滅制御することは、本願出願前に周知の技術事項である（例えば、特開平７−１８５０７９号公報の【図２０】〜【図２２】や、特開平５−９２０６８号公報の【図１１】〜【図１２】や、特開平８−９８９２５号公報の【図１４】〜【図１６】や、特開２００６−３１４８２９号公報の【図１４】〜【図１６】を参照。以下「周知の技術事項４」という。）。
　そして、刊行物発明に上記周知の技術事項４を適用して、特別遊技へ移行した際に、照明ランプ１４６を点灯させることに換えて点滅させることは、当業者が容易になし得たものであり、その際に、照明ランプ１４を点灯させる期間、及び、消灯させる期間を、演出効果や、省エネ効果等を勘案して設定することは、当業者が適宜決定し得たものである。
　
　よって、請求人の上記主張を採用することはできない。
　
　　　エ　小括
　本件補正発明により奏される効果は、刊行物発明、及び、上記周知の技術事項１〜３から当業者が予測できる効果の範囲内のものであり、新たな効果を奏するものとはいえない。
　そうすると、上記ア〜ウにおいて検討したとおり、本件補正発明は、少なくとも、刊行物発明、及び、上記周知の技術事項１〜３に基づいて当業者が容易に発明をすることができたものであるから、特許法第２９条第２項の規定により、特許出願の際に独立して特許を受けることができないものである。
　
　（５）まとめ
　上記（１）〜（４）より、本件補正発明は、特許法第２９条第２項の規定により、特許出願の際に独立して特許を受けることができないものであるから、本件補正は、同法第１７条の２第６項において準用する同法第１２６条第７項に規定する要件を満たさないものであり、同法第１５９条第１項において読み替えて準用する同法第５３条第１項の規定により却下すべきものである。
　
第３　本願発明について
　１　本願発明
　本件補正は、上記のとおり却下されることとなったので、本願の請求項１に係る発明は、平成２８年１２月２３日付け手続補正書により補正された特許請求の範囲の請求項１に記載されたとおりのものであるところ、その請求項１に係る発明（以下「本願発明」という。記号Ａ〜Ｈは、分説するため当審で付した。）は、次のとおりのものと認める。
「【請求項１】
Ａ　遊技球が転動可能な遊技領域を有する遊技盤と、
Ｂ　前記遊技領域内に位置し、特別入賞口と、前記特別入賞口に遊技球が入賞し易い開状態と前記開状態と比較して前記特別入賞口に遊技球が入賞し難い閉状態とに変化させる開閉部材と、前記特別入賞口を通過した遊技球が転動可能な特定領域と、前記特定領域に遊技球が入球し易い第１入球状態と前記第１入球状態と比較して前記特定領域に遊技球が入球し難い第２入球状態とに変化させる変化部材と、を有する特別入賞装置と、
Ｄ”遊技球が前記特別入賞口を通過してから前記変化部材を経由して前記特定領域に至るまでの通路である特別通路の前側の少なくとも一部を、遊技者に視認困難にさせる視認困難部材と、
Ｃ　前記特定領域と前記変化部材との少なくとも一方の周辺に配置される光源と、
Ｅ　遊技制御手段と、
Ｆ　演出制御手段と、
を備え、
Ｇ　前記遊技制御手段は、
　　前記開閉部材を一時的に開状態とする制御に伴って、前記変化部材の入球状態を変化させる変化処理を実行し、
Ｈ”前記演出制御手段は、
　　少なくとも前記遊技制御手段によって前記開閉部材を開状態とさせている間、前記光源を点灯させる制御である発光制御を行う発光処理を実行する、
　ことを特徴とする遊技機。」
　
　２　刊行物に記載された事項
　原査定の拒絶の理由に引用された刊行物１の記載事項、及び、刊行物発明の認定については、上記「第２　２（２）刊行物に記載された発明」に記載したとおりである。
　
　３　対比・判断 
　本願発明は、上記「第２［理由］」で検討した本件補正発明から、「視認困難部材」に関して、「遊技球が前記特別入賞口を通過してから前記変化部材を経由して前記特定領域に至るまでの通路である特別通路の前側
の一部
前記光源が点灯しているか否かにかかわらず、
期間中、遊技者の見た目で消灯して見えないように、
　そして、本願発明の構成Ｄ”は、本件補正発明の構成Ｄから「
前記光源が点灯しているか否かにかかわらず、
　そうすると、本願発明と刊行物発明とは、本件補正発明と同様に、次の点において、相違し、その余の点において一致する。
　
［相違点イ］（構成Ｈ”について）
　演出制御手段によって、光源を点灯させる制御である発光制御を行う発光処理が実行されるのが、
　本願発明は、少なくとも遊技制御手段によって開閉部材を開状態とさせている間であるのに対して、
　刊行物発明は、遊技制御手段によって開閉部材を開状態とさせているときであって、本願発明の構成を備えるか否か不明である点。
　
　相違点イは、前記相違点２に対応するものである。そうすると、前記第２　３（４）イにおいて検討した内容からみて、本願発明は、刊行物発明、及び、上記周知の技術事項３に基づいて当業者が容易に発明をすることができたものである。
　
　４　むすび 
　以上のとおりであるから、本願発明は、特許法第２９条第２項の規定により特許を受けることができない。
　
　よって、結論のとおり審決する。